(57)【特許請求の範囲】
【請求項１】
映像を撮像し映像信号をＦＭ変調して送信するロビーインターホンと、このロビーインターホンからのＦＭ映像信号を分配増幅するための映像制御盤と、映像信号伝送路に設けられた分岐器を介して分岐接続され、前記ＦＭ映像信号を受信して復調し撮像された映像を確認するモニタ装置とを備えたＦＭ映像伝送システムにおいて、ＦＭ変調のキャリア周波数をｆｏ、変調幅ｆｓとし、復調画像の解像度をｎ×ｆｈ（本）にしたい場合は、周波数（ｆｏ−ｆｈ）〜（ｆｏ＋ｆｓ＋ｆｈ）に対応する半波長（λ／２  ただしλ：ＦＭ映像信号の波長で、λ＝２π／ｆ）のうち、最長となる周波数（ｆｏ−ｆｈ）に対応する半波長（λ／２）より長い追加映像信号伝送路を前記映像信号伝送路の幹線の終端に取り付けられるとともに、この追加映像信号伝送路の終端に取り付けられ前記追加映像信号伝送路の特性インピーダンスに一致した終端器を備えたことを特徴とするＦＭ映像伝送システム。
【請求項２】
映像を撮像し映像信号をＦＭ変調して送信するロビーインターホンと、このロビーインターホンからのＦＭ映像信号を分配増幅するための映像制御盤と、映像信号伝送路に設けられた分岐器を介して分岐接続され、前記ＦＭ映像信号を受信して復調し撮像された映像を確認するモニタ装置とを備えたＦＭ映像伝送システムにおいて、前記映像信号伝送路の幹線の終端に、λ／２（λ：ＦＭ映像信号の波長）より長い線路長をもつ追加映像信号伝送路と該追加映像信号伝送路の特性インピーダンスに一致した終端器とを模擬した擬似線路負荷を設けたことを特徴とするＦＭ映像伝送システム。
【請求項３】
前記ロビーインターホンからのＦＭ映像信号の周波数を検出する周波数検出手段を設け、この周波数検出手段によって検出したＦＭ映像信号の周波数に応じて前記擬似線路負荷の設定値を自動調整するようにしたことを特徴とする請求項２記載のＦＭ映像伝送システム。
【発明の詳細な説明】
【０００１】
【発明の属する技術分野】
本発明は、マンション等の集合住宅や戸建ての監視通話ドアホンシステムに関するものである。
【０００２】
【従来の技術】
図９に、従来のＦＭ映像伝送システムの一例として、一般的な集合住宅用ドアホンシステムを示す。一般的な集合住宅用ドアホンシステムは、ロビー玄関の来訪者がロビーインターホン１０１で所望の住戸を呼び出すことにより、住戸内の家人と住戸モニタ１０３を通じて通話することができる。ロビー玄関のロビーインターホン１０１で撮像された来訪者の映像は、ロビーインターホン１０１内でＦＭ変調される。ロビーインターホン１０１より送信されるＦＭ映像信号は、映像信号伝送路１０６で伝送される。また、長距離伝送するために、映像制御盤１０２にてＦＭ映像信号は中継増幅され、分岐器１０４を介して住戸モニタ１０３に受信される。受信されたＦＭ映像信号は住戸モニタ１０３で復調され、住戸内の家人は、住戸モニタ１０３にて来訪者を確認することができる。
【０００３】
このシステムにおいて、ＡＣ１００Ｖ商用電源を使用するのは、映像制御盤１０２とロビーインターホン１０１のみである。映像制御盤１０２内でＡＣ電圧はＤＣ電圧に変換され、映像信号を伝送する映像信号伝送路１０６に重畳して伝送される。電源を必要とする住戸モニタ１０３は、映像制御盤１０２が供給する映像信号伝送線路１０６に重畳された該ＤＣ電源を用いて駆動させている。
【０００４】
本従来例のようなドアホンシステムでは、映像信号伝送路１０６の幹線の終端は、最終端の分岐器出力に直接、終端器１０５を接続している。終端器１０５は、映像信号伝送路の特性インピーダンスにマッチングした抵抗と、映像信号伝送路に重畳されているＤＣ電圧の短絡を防止するためのコンデンサからなっている。
【０００５】
【発明が解決しようとする課題】
集合住宅や戸建てのテレビドアホン装置等のペア線を用いて映像をＦＭ変調して伝送するＦＭ映像伝送システムにおいて、映像信号伝送路１０６の幹線の終端は、分岐器に終端抵抗を直接接続していた。この場合、映像信号伝送路１０６の幹線の終端で発生する反射信号の影響により、終端の分岐点から数えて２〜３分岐目あたりの分岐点に分岐接続された住戸モニタ１０３において受信映像が劣化することがあった。
【０００６】
本発明は上記事由に鑑みて為されたものであり、その目的は、映像信号伝送路の幹線の終端で発生する反射信号の影響を減少させ、受信映像の劣化しないＦＭ映像伝送システムを提供することである。
【０００９】
【課題を解決するための手段】
上記課題を解決するために、請求項１記載の発明は、映像を撮像し映像信号をＦＭ変調して送信するロビーインターホンと、このロビーインターホンからのＦＭ映像信号を分配増幅するための映像制御盤と、映像信号伝送路に設けられた分岐器を介して分岐接続され、前記ＦＭ映像信号を受信して復調し撮像された映像を確認するモニタ装置とを備えたＦＭ映像伝送システムにおいて、ＦＭ変調のキャリア周波数をｆｏ、変調幅ｆｓとし、復調画像の解像度をｎ×ｆｈ（本）にしたい場合は、周波数（ｆｏ−ｆｈ）〜（ｆｏ＋ｆｓ＋ｆｈ）に対応する半波長（λ／２  ただしλ：ＦＭ映像信号の波長で、λ＝２π／ｆ）のうち、最長となる周波数（ｆｏ−ｆｈ）に対応する半波長（λ／２）より長い追加映像信号伝送路を前記映像信号伝送路の幹線の終端に取り付けられるとともに、この追加映像信号伝送路の終端に取り付けられ前記追加映像信号伝送路の特性インピーダンスに一致した終端器を備えたことを特徴とするものである。
【００１０】
請求項２記載のＦＭ映像伝送システムは、映像を撮像し映像信号をＦＭ変調して送信するロビーインターホンと、このロビーインターホンからのＦＭ映像信号を分配増幅するための映像制御盤と、映像信号伝送路に設けられた分岐器を介して分岐接続され、前記ＦＭ映像信号を受信して復調し撮像された映像を確認するモニタ装置とを備えたＦＭ映像伝送システムにおいて、前記映像信号伝送路の幹線の終端に、λ／２（λ：ＦＭ映像信号の波長）より長い線路長をもつ追加映像信号伝送路と該追加映像信号伝送路の特性インピーダンスに一致した終端器とを模擬した擬似線路負荷を設けたことを特徴とするものである。
【００１１】
請求項３記載のＦＭ映像伝送システムは、請求項２記載のＦＭ映像伝送システムにおいて、前記ロビーインターホンからのＦＭ映像信号の周波数を検出する周波数検出手段を設け、この周波数検出手段によって検出したＦＭ映像信号の周波数に応じて前記擬似線路負荷の設定値を自動調整するようにしたことを特徴とするものである。
【００１２】
【発明の実施の形態】
以下、本発明の実施形態について図を参照して説明する。図１は、本発明の第１参考形態に係るＦＭ映像伝送システムのシステム構成図である。図２は、自由端反射の場合の定在波の説明図である。図３は、固定端反射の場合の定在波の説明図である。図４は、映像信号の説明図である。図５は、本発明の第１参考形態に係るＦＭ映像伝送システムの第１変形例を示すシステム構成図である。図６は、本発明の第１実施形態に係るＦＭ映像伝送システムを示すシステム構成図である。
【００１３】
本発明の第１参考形態について説明する。このＦＭ映像伝送システムは、図１に示すように、ロビーインターホン１と、映像制御盤２と、住戸モニタ３と、分岐器４と、終端器５と、映像信号伝送路（幹線）６と、映像信号伝送路（分岐線）７とを備えている。
【００１４】
ロビーインターホン１は、呼出釦１１と、ＣＰＵ１２と、カメラ部１３と、ＦＭ変調部１４と、送信アンプ部１５と、電源部１６と、内部電源１７とを備えている。呼出釦１１は来訪者が来訪を知らせるためのものであり、ＣＰＵ１２は呼出釦１１の押下を検出するためのものであり、カメラ部１３は来訪者を撮像するためのものであり、ＦＭ変調部１４はカメラ部１３の出力する映像信号をＦＭ変調するためのものであり、送信アンプ部１５はＦＭ映像信号を増幅するためのものであり、電源部１６はＡＣ電源をＤＣ電源に変換するためのものであり、内部電源１７はＤＣ電源にてロビーインターホン１を駆動させるためのものである。
【００１５】
映像制御盤２は、中継アンプ部２１と、ＤＣ重畳部２２と、電源部２３と、内部電源２４とを備えている。中継アンプ部２１はＦＭ映像信号を増幅するためのものであり、ＤＣ重畳部２２はＦＭ映像信号にＤＣを重畳させるためのものであり、電源部２３はＡＣ電源をＤＣ電源に変換するためのものであり、内部電源２４はＤＣ電源にて映像制御盤２を駆動させるためのものである。
【００１６】
住戸モニタ３は、ＤＣ分離部３１と、受信アンプ部３２と、ＦＭ復調部３３と、モニタ部３４と、内部電源３５とを備えている。ＤＣ分離部３１はＦＭ映像信号からＤＣ電源を分離させるためのものであり、受信アンプ部３２は受信したＦＭ映像信号を増幅するためのものであり、ＦＭ復調部３３は受信したＦＭ映像信号をベースバンド映像信号に復調するためのものであり、モニタ部３４は来訪者映像を映し出すためのものであり、内部電源３５はＤＣ電源にて住戸モニタ３を駆動させるためのものである。
【００１７】
映像信号伝送線路（幹線）６の終端には分岐器４を配置し、その分岐器４の出力に直接、終端器５を接続している。終端器５は、映像信号伝送路（幹線）６の特性インピーダンスにマッチングした抵抗Ｒと、映像信号伝送路に重畳されているＤＣ電圧の短絡を防止するためのコンデンサＣから構成されている。コンデンサ値Ｃは、ＤＣ電圧の短絡を防止するだけに十分な値に設定する。
【００１８】
次に、このＦＭ映像伝送システムの動作について説明する。ロビー玄関の来訪者がロビーインターホン１で所望の住戸を呼び出すことにより、住戸内の家人と住戸モニタ３を通じて通話することができる。ロビーインターホン１のカメラ部１３で撮像された来訪者の映像信号はＦＭ変調部１４でＦＭ変調され、映像信号伝送線路（幹線）６で伝送される。ＦＭ変調された映像信号は、映像制御盤２の中継アンプ部２１にて中継増幅され、分岐器４を介して、映像信号伝送路（分岐線）７を通って住戸モニタ３に受信される。受信されたＦＭ映像信号は住戸モニタ３内部のＦＭ復調部３３で復調され、住戸内の家人は、モニタ部３４において来訪者を確認することができる。
【００１９】
ところで、伝送路の特性インピーダンスをＺ（ｆ）、終端抵抗値をＲとしたとき電圧反射係数Γは、Γ＝（Ｒ−Ｚ（ｆ））／（Ｒ＋Ｚ（ｆ））、｜Γ｜＜１で表せることから、Ｒ＝Ｚ（ｆ）の場合、Γ＝０となり反射は起こらない。しかしながら、伝送路の特性インピーダンスＺ（ｆ）は、周波数ｆによって変化する。ＦＭ映像信号はキャリア周波数前後の帯域幅を持っているため、終端抵抗値Ｒをキャリア周波数ｆｏに対応する特性インピーダンスの値Ｚ（ｆｏ）に設定した場合には、ＦＭ映像信号のキャリア周波数と同じ周波数成分を持つＦＭ映像信号については反射波が生じないが、キャリア周波数以外の周波数成分を持ったＦＭ映像信号については反射波が生じてしまう。反射波が生じる場合、伝送路上には入射波と反射波とが干渉して定在波ができる。
【００２０】
入射波の信号周波数をｆとした場合、Ｒ＞Ｚ（ｆ）のとき、終端は自由端となり、定在波の腹は図２に示すように終端から、ｎλ／２（λ：ＦＭ映像信号の波長、ｎ：０以上の整数）の箇所に生じる。Ｒ＜Ｚ（ｆ）のとき、終端は固定端となり、定在波の腹は図３に示すように終端から、（２ｎ＋１）／４（λ：ＦＭ映像信号の波長、ｎ：０以上の整数）の箇所に生じる。映像信号伝送線路（幹線）６上の分岐器４の設置箇所において、入射波とその反射波とを考えた場合、反射波は映像信号伝送線路（幹線）６の終端まで行って戻ってくるため、入射波と反射波とでは時間のずれが生じる。また、図４に示すように、ベースバンドの映像信号には同期信号等が含まれ信号レベルが一定しないため、それをＦＭ変調したＦＭ映像信号の周波数は、時間により常に変動している。したがって、ベースバンドの映像信号振幅が大きく切り替わる地点では、入射波と重なり合う反射波は、ＦＭ映像信号の場合、周波数が異なると考えてよい。この場合、反射波はＦＭ映像信号にとってノイズとなる。また、信号は入射波、反射波とも伝送路を伝わる間に減衰するため、定在波の腹の中でＳ／Ｎ比が最も悪化するのは、Ｒ＞Ｚ（ｆ）の場合は終端からλ／２の箇所、Ｒ＜Ｚ（ｆ）の場合は終端からλ／４の箇所ということになる。
【００２１】
また、ＦＭ映像信号の周波数は一定でないため、定在波の腹の位置はＦＭ映像信号の周波数によって変動する。ＦＭ変調のキャリア周波数をｆｏ、変調幅をｆｓとし、ＦＭ映像信号を復調させるためには、ｆｏ−ｆｈ≦ｆ≦ｆｏ＋ｆｓ＋ｆｈの周波数成分を正常に伝送させる必要がある。ここで、ｆｏ＝８[ＭＨｚ]、ｆｓ＝４[ＭＨｚ]、ｆｈは任意の値であり、復調画像解像度[本]＝ｎ×ｆｈ（ｎ：０以上の定数）の関係式が成り立つ。なお、ｆｏ、ｆｓ、ｆｈの設計変更が可能であることは言うまでもない。このＦＭ映像信号の周波数範囲で、Ｓ／Ｎ比が最も悪化するのは、（ｆｏ−ｆｈ）〜（ｆｏ＋ｆｓ＋ｆｈ）に対応するλ／２、λ／４の箇所ということになる。
【００２２】
ここで、一例として実際に、キャリア周波数ｆｏ（ｆｏ＝８[ＭＨｚ]）に対応するλ／２、λ／４の位置を算出する。周波数をＦ、そのときの波長をλとすると、Ｆ×λ＝ｃ／（√ε）の関係式が成り立つ。ｃは光速であり、εは線路の比誘電率でマンション等に用いる線の場合２．１程度である。これより、λは約２５．９[ｍ]となり、λ／２、λ／４はそれぞれ約１３[ｍ]、約６．５[ｍ]となる。
【００２３】
したがって、配線時には、図１に示すように、ＦＭ映像信号のＳ／Ｎ比が最も悪化する、映像信号伝送線路（幹線）６の終端から半波長（λ／２）、１／４波長（λ／４）となる箇所を避けて分岐器４を設置する必要がある。すなわち、ＦＭ変調のキャリア周波数をｆｏ、変調幅をｆｓとし、復調画像の解像度をｎ×ｆｈ本にしたい場合は、周波数（ｆｏ−ｆｈ）〜（ｆｏ＋ｆｓ＋ｆｈ）に対応する半波長の範囲と１／４波長の範囲を避けて分岐器４を設置するようにすれば、映像信号伝送線路（幹線）６の終端で発生する反射信号の影響を減少させることができるので、受信映像の劣化しないＦＭ映像伝送システムを提供することが可能となる。
【００２４】
また、このＦＭ映像伝送システムの第１変形例として図５を用いて説明する。ここでは、映像信号伝送線路（幹線）６の終端側から順番に分岐器４ａ、４ｂ、４ｃ、４ｄとする。このＦＭ映像伝送システムは、信号伝送線路（幹線）６の終端とその一つ手前の分岐点（ここでは、分岐器４ｂ）との間の映像信号伝送路（幹線）６を半波長（λ／２）より長い線路で配線することにより、ＦＭ映像信号のＳ／Ｎ比が最も悪化する映像信号伝送路（幹線）６の終端から半波長（λ／２）、１／４波長（λ／４）となる箇所が分岐点となることを避けるようにしている。すなわち、ＦＭ変調のキャリア周波数をｆｏ、変調幅ｆｓとし、復調画像の解像度をｎ×ｆｈ本にしたい場合は、周波数（ｆｏ−ｆｈ）〜（ｆｏ＋ｆｓ＋ｆｈ）に対応する半波長（λ／２）のうち、最長となる周波数（ｆｏ−ｆｈ）に対応する半波長（λ／２）より長い映像信号伝送路を、映像信号伝送路（幹線）６の終端と分岐器４ｂとの間に配線する。こうすることによって、映像信号伝送線路（幹線）６の終端から周波数範囲（ｆｏ−ｆｈ）〜（ｆｏ＋ｆｓ＋ｆｈ）に対応する半波長（λ／２）の範囲、１／４波長（λ／４）の範囲を避けて分岐器４を設置するという配線時の考慮の必要がなくなるため、配線が簡単で配線ミスを防ぎ、信頼性の高いシステムを提供することが可能となる。
【００２５】
次に、このＦＭ映像伝送システムの第１実施形態として図６を用いて説明する。このＦＭ映像伝送システムでは、図６に示すように、映像信号伝送路（幹線）６の終端に、λ／２より長い映像信号伝送路（以下、追加映像信号伝送路８とする）を取り付けて幹線６の終端を延長させるとともに、追加映像信号伝送路８の終端に追加映像信号伝送路８の特性インピーダンスに一致した終端器５１を取り付けることで、ＦＭ映像信号のＳ／Ｎ比が最も悪化する映像信号伝送路（幹線）６の終端から半波長（λ／２）、１／４波長（λ／４）となる箇所が分岐点となることを避けるようにしてもよい。すなわち、ＦＭ変調のキャリア周波数をｆｏ、変調幅ｆｓとし、復調画像の解像度をｎ×ｆｈ本にしたい場合は、周波数（ｆｏ−ｆｈ）〜（ｆｏ＋ｆｓ＋ｆｈ）に対応する半波長（λ／２）のうち、最長となる周波数（ｆｏ−ｆｈ）に対応する半波長（λ／２）より長い追加映像信号伝送路８を、映像信号伝送路（幹線）６の終端に追加配線したシステムとなる。ここで、終端器５１は、追加映像信号伝送路８の特性インピーダンスにマッチングした抵抗Ｒと、映像信号伝送路に重畳されているＤＣ電圧の短絡を防止するためのコンデンサＣから構成されている。なお、終端抵抗値Ｒは、実際の追加映像信号伝送路８の特性インピーダンスＺ（ｆ）を測定し、ＦＭ映像信号のキャリア周波数ｆｏに対応する値Ｚ（ｆｏ）に設定する。コンデンサ値Ｃは、ＤＣ電圧の短絡を防止するだけに十分な値（例えば、０．０１μＦ等）に設定する。したがって、住戸間の配線スペースに制限がある場合、例えば各階に通じている配線管があり、その中に映像信号伝送路を配線して各階の分岐器に接続するような場合等において、上記第１変形例では配線管の中に（ｆｏ−ｆｈ）に対応する半波長（λ／２）より長い線路を入れこむことができないようなときにも、追加映像信号伝送路８と終端器５１とを映像信号伝送路６の幹線の終端に取り付けることによって、システムの構築が可能となる。
【００２６】
次に、本発明の第２実施形態について説明する。図７は、本発明の第２実施形態に係るＦＭ映像伝送システムのシステム構成図である。図８は、本発明の第２実施形態に係るＦＭ映像伝送システムの変形例を示すシステム構成図である。このＦＭ映像伝送システムでは、λ／２より長い線路長をもつ追加映像信号伝送路８に代わって、図７に示すように、インダクタンスＬ１、損失抵抗Ｒ１、静電容量Ｃ１、損失コンダクタンスＧ１で構成された擬似線路９が設けられ、その擬似線路９の先に終端器５１に相当する回路１０が設けられている。なお、擬似線路９と終端器５１に相当する回路１０とを組み合わせて擬似線路負荷という。前述した第１実施形態の第２変形例では、ＦＭ変調のキャリア周波数をｆｏ、変調幅をｆｓとし、復調画像の解像度をｎ×ｆｈ本にしたい場合に、周波数（ｆｏ−ｆｈ）〜（ｆｏ＋ｆｓ＋ｆｈ）に対応する半波長（λ／２）のうち、最長となる周波数（ｆｏ−ｆｈ）に対応する半波長（λ／２）より長い追加映像信号伝送路８を、映像信号伝送路（幹線）６の終端に追加配線したシステムとしたが、本実施形態では周波数（ｆｏ−ｆｈ）に対応する半波長（λ／２）より長い追加映像信号伝送路８に相当する擬似線路をインダクタンスＬ１、損失抵抗Ｒ１、静電容量Ｃ１、損失コンダクタンスＧ１で構成する。このとき、インダクタンスＬ１、損失抵抗Ｒ１、静電容量Ｃ１、損失コンダクタンスＧ１の値はそれぞれ、周波数（ｆｏ−ｆｈ）に対応する半波長（λ／２）より長い長さを持った追加映像信号伝送路８の実測値を用いればよい。なお、このとき設定する値は、ＦＭ映像信号のキャリア周波数ｆｏに対応する値である。こうすることによって、余分な長さの配線が不要となるため、省配線・省スペースを実現したシステムを提供することが可能となる。
【００２７】
また、このＦＭ映像伝送システムの変形例として図８を用いて説明する。このＦＭ映像伝送システムは、映像信号伝送路を伝送するＦＭ映像信号の周波数を検出し該検出結果を送信する周波数検出部２０と、周波数検出部２０の検出結果をもとに擬似線路９の各値を求め、後述する各制御部に制御信号を送信するＣＰＵ３０と、追加映像信号伝送路８の周波数に応じたインダクタンスＬ１、損失抵抗Ｒ１、静電容量Ｃ１、損失コンダクタンスＧ１の実測値を記憶しておくメモリ４０と、インダクタンス制御部５０と、損失抵抗制御部６０と、静電容量制御部７０と、損失コンダクタンス制御部８０とを設け、上述したインダクタンスＬ１、損失抵抗Ｒ１、静電容量Ｃ１、損失コンダクタンスＧ１を可変なものに代えることによって、擬似線路９に使用するインダクタンスＬ１、損失抵抗Ｒ１、静電容量Ｃ１、損失コンダクタンスＧ１の値を、ＦＭ映像信号の周波数に合わせて自動調整することができる。
【００２８】
周波数検出部２０は、映像信号伝送路を伝送するＦＭ映像信号の周波数（ｆｏ−ｆｈ）〜（ｆｏ＋ｆｓ＋ｆｈ）に対応するスペクトラムの大きさを常に検出し、重心となる周波数情報を検出結果としてＣＰＵ３０に通知する。ＣＰＵ３０は、メモリ４０に蓄えられている追加映像信号伝送路８の周波数に応じたインダクタンスＬ１、損失抵抗Ｒ１、静電容量Ｃ１、損失コンダクタンスＧ１の実測値から、重心となる周波数に対応する各値を求め、その後、インダクタンス制御部５０、損失抵抗制御部６０、静電容量制御部７０、損失コンダクタンス制御部８０に向けて、擬似線路９を求めた各値に設定させる旨の制御信号を送信する。このとき、インダクタンス制御部５０は、擬似線路９のインダクタンスＬ１の値を制御信号に従って調整し、ＣＰＵ３０で求めた値に設定する。損失抵抗制御部６０は、擬似線路９の損失抵抗Ｒ１の値を制御信号に従って調整し、ＣＰＵ３０で求めた値に設定する。静電容量制御部７０は、擬似線路９の静電容量Ｃ１の値を制御信号に従って調整し、ＣＰＵ３０で求めた値に設定する。損失コンダクタンス制御部８０は、擬似線路９の損失コンダクタンスＧ１の値を制御信号に従って調整し、ＣＰＵ３０で求めた値に設定する。したがって、擬似線路９のインダクタンスＬ１、損失抵抗Ｒ１、静電容量Ｃ１、損失コンダクタンスＧ１の値をＦＭ映像信号の周波数によって変化させることが可能となり、追加映像信号伝送路と略同様の特性をもった擬似線路負荷を構築することができる。
【００３１】
【発明の効果】
以上説明したように、請求項１記載の発明によるＦＭ映像伝送システムでは、ＦＭ変調のキャリア周波数をｆｏ、変調幅ｆｓとし、復調画像の解像度をｎ×ｆｈ（本）にしたい場合は、周波数（ｆｏ−ｆｈ）〜（ｆｏ＋ｆｓ＋ｆｈ）に対応する半波長（λ／２  ただしλ：ＦＭ映像信号の波長で、λ＝２π／ｆ）のうち、最長となる周波数（ｆｏ−ｆｈ）に対応する半波長（λ／２）より長い追加映像信号伝送路を前記映像信号伝送路の幹線の終端に取り付けられるとともに、この追加映像信号伝送路の終端に取り付けられ前記追加映像信号伝送路の特性インピーダンスに一致した終端器を備えたので、前記追加映像信号伝送路と前記終端器とを前記映像信号伝送路の幹線の終端に取り付けるという比較的自由度の高い配線が可能となり、住戸間の配線スペースに制限がある場合にもシステム構築が可能となる。
【００３２】
請求項２記載のＦＭ映像伝送システムは、映像を撮像し映像信号をＦＭ変調して送信するロビーインターホンと、このロビーインターホンからのＦＭ映像信号を分配増幅するための映像制御盤と、映像信号伝送路に設けられた分岐器を介して分岐接続され、前記ＦＭ映像信号を受信して復調し撮像された映像を確認するモニタ装置とを備えたＦＭ映像伝送システムにおいて、前記映像信号伝送路の幹線の終端に、λ／２（λ：ＦＭ映像信号の波長）より長い線路長をもつ追加映像信号伝送路と該追加映像信号伝送路の特性インピーダンスに一致した終端器とを模擬した擬似線路負荷を設けたので、余分な長さの配線が不要となるため、省配線・省スペースを実現したシステムとなる。
【００３３】
請求項３記載のＦＭ映像伝送システムは、請求項２記載のＦＭ映像伝送システムにおいて、前記ロビーインターホンからのＦＭ映像信号の周波数を検出する周波数検出手段を設け、この周波数検出手段によって検出したＦＭ映像信号の周波数に応じて前記擬似線路負荷の設定値を自動調整するようにしたので、より実際の伝送路に近い特性をもった擬似線路負荷を構築することができる。
【図面の簡単な説明】
【図１】本発明の第１参考形態に係るＦＭ映像伝送システムのシステム構成図である。
【図２】自由端反射の場合の定在波の説明図である。
【図３】固定端反射の場合の定在波の説明図である。
【図４】映像信号の説明図である。
【図５】本発明の第１参考形態に係るＦＭ映像伝送システムの第１変形例を示すシステム構成図である。
【図６】本発明の第１実施形態に係るＦＭ映像伝送システムを示すシステム構成図である。
【図７】本発明の第２実施形態に係るＦＭ映像伝送システムのシステム構成図である。
【図８】本発明の第２実施形態に係るＦＭ映像伝送システムの変形例を示すシステム構成図である。
【図９】従来のＦＭ映像伝送システムのシステム構成図である。
【符号の説明】
１  ロビーインターホン
２  映像制御盤
３  住戸モニタ
４  分岐器
５  終端器
６  映像信号伝送路（幹線）
７  映像信号伝送路（分岐線）
８  追加映像信号伝送路
９  擬似線路
２０  周波数検出部
５１  終端器
【図１】
0003918512.tif 000002
【図２】
0003918512.tif 000003
【図３】
0003918512.tif 000004
【図４】
0003918512.tif 000005
【図５】
0003918512.tif 000006
【図６】
0003918512.tif 000007
【図７】
0003918512.tif 000008
【図８】
0003918512.tif 000009
【図９】
0003918512.tif 000010